(57)【特許請求の範囲】
【請求項１】
一対の外装パネル間に形成された目地部構造であって、
前記一対の外装パネルそれぞれの側面に設けられた第１の乾式目地材と、
前記一対の外装パネルの前記第１の乾式目地材間に挟まれるように設けられた第２の乾式目地材と、を備え、
前記第１の乾式目地材と前記第２の乾式目地材のうち、少なくともいずれか一方が弾性体であり、
前記第１の乾式目地材が凸部を有する凸部材であり、前記第２の乾式目地材が前記凸部に対応して互いに係止し合う凹部を有する凹部材であり、
前記凸部及び前記凹部が曲面で構成されており、
前記第１の乾式目地材の凸部の曲率半径が、前記第２の乾式目地材の凹部の曲率半径以上である、
目地部構造。
【請求項２】
前記第１の乾式目地材及び前記第２の乾式目地材の双方が弾性体である、請求項１記載の目地部構造。
【請求項３】
前記第１の乾式目地材及び前記第２の乾式目地材が互いに接着されている、請求項１又は２記載の目地部構造。
【請求項４】
前記第１の乾式目地材及び前記第２の乾式目地材が湿式シーリング材により接着される、請求項３記載の目地部構造。
【請求項５】
前記第１の乾式目地材、前記第２の乾式目地材、及び前記湿式シーリング材が同一の材質である、請求項４記載の目地部構造。
【請求項６】
前記一対の外装パネルのそれぞれの側面に設けられた第１の乾式目地材間の離間寸法よりも、前記第２の乾式目地材の幅寸法が大きい、請求項１〜５のいずれか一項記載の目地部構造。
【請求項７】
前記第２の乾式目地材の表面が、前記目地部構造の表面を覆っている、請求項１〜６のいずれか一項記載の目地部構造。
【請求項８】
前記第２の乾式目地材の表面が、前記外装パネルの表面と同系色の模様とされている、請求項７記載の目地部構造。
【請求項９】
前記第２の乾式目地材の表面が、前記外装パネルの表面と同様の多彩模様とされている、請求項７記載の目地部構造。
【請求項１０】
前記一対の外装パネルそれぞれの側面から対向する外装パネル方向に向けて延びる底面部を更に備え、
前記第１の乾式目地材の前記対向する外装パネル方向の最大長さは、前記底面部の前記対向する外装パネル方向の長さよりも短い、請求項１〜９のいずれか一項記載の目地部構造。
【発明の詳細な説明】
【技術分野】
【０００１】
本発明は、外壁の一部となる二枚の外装パネル間の目地部に形成される目地部構造に関する。
【背景技術】
【０００２】
外壁パネルなどの外装パネル間の目地部に形成される構造として、湿式シーリング材を目地部に打設する湿式工法による目地部構造と、乾式目地材を目地部に装着する乾式工法による目地部構造とが一般的に知られている。湿式工法は高い止水性を確保することができる一方、天候に左右され工期が長くなるという欠点がある。また、乾式工法は施工容易性を担保することができる一方、完全な止水性を確保することが困難であるという欠点がある。
【０００３】
例えば特許文献１には、目地幅よりも大きめの幅に形成された係合部と、係合部から突出する突出部と、突出部に取り付けられた止水材とを備えた目地材と、壁パネルに取り付けられた止水材とによって構成された乾式工法の目地部構造が開示されている。当該目地部構造では、目地材の係合部が目地に圧接されるとともに、目地材の止水材と壁パネルの止水材とを密着させることにより、乾式工法における止水性の向上を図っている。
【先行技術文献】
【特許文献】
【０００４】
【特許文献１】特開２０００−１０４３５８号公報
【発明の概要】
【発明が解決しようとする課題】
【０００５】
しかしながら、上記特許文献１の目地部構造においては、目地材の係合部が経年により弾発力を失い目地幅の変位に追従できなくなるおそれがある。この場合、外装パネル間に隙間が生じるおそれがある。また、弾発力を失った係合部が、止水材の反発力によって目地部外に押し出され脱落するおそれもある。このため、上記特許文献１の目地部構造では、止水性の向上を十分に図ることができていない。
【０００６】
本発明は上記実情に鑑みてなされたものであり、施工容易性及び止水性を担保することができる、外壁の目地部構造に関する。
【課題を解決するための手段】
【０００７】
本発明に係る目地部構造は、一対の外装パネル間に形成された目地部構造であって、一対の外装パネルそれぞれの側面に設けられた第１の乾式目地材と、一対の外装パネルの第１の乾式目地材間に挟まれるように設けられた第２の乾式目地材と、を備え、第１の乾式目地材と第２の乾式目地材のうち、少なくともいずれか一方が弾性体であり、第１の乾式目地材と第２の乾式目地材のうち、いずれか一方が凸部を有する凸部材であり、他方が凸部に対応して互いに係止し合う凹部を有する凹部材である。
【０００８】
この目地部構造では、第１の乾式目地材及び第２の乾式目地材の一方が凸部材、他方が当該凸部材と互いに係止し合う凹部材とされている。第１の乾式目地材及び第２の乾式目地材が互いに係止し合うため、第１の乾式目地材及び第２の乾式目地材が目地部から押し出される（脱落する）ことを抑制することができる。また、第１の乾式目地材及び第２の乾式目地材の少なくともいずれか一方が弾性体であるので、例えば目地幅が変位したような場合であっても、目地部構造における乾式目地材を当該変位に適切に追従させることができる。更に、少なくとも一方が弾性体であることにより、互いに係止し合う第１の乾式目地材と第２の乾式目地材とを圧接密着させることができる。これらにより、外装パネル間に隙間が生じることを抑制することができる。乾式目地材の脱落を抑制するとともに外装パネル間に隙間が生じることを抑制することにより、目地部構造における止水性を担保することができる。また、この目地部構造は、乾式工法の目地部構造であるため、湿式工法の目地部構造と比較して、容易に施工することができる。以上のことから、施工容易性及び止水性を担保することができる。
【０００９】
また、第１の乾式目地材及び前記第２の乾式目地材の双方が弾性体であってもよい。これにより、目地幅の変位に対する追従性、及び、乾式目地材間の密着性をより高めることができ、目地部構造における止水性をより担保することができる。
【００１０】
また、第１の乾式目地材及び第２の乾式目地材が互いに接着されていてもよい。これにより、乾式目地材間の密着性を高め、目地部構造における止水性をより担保することができる。
【００１１】
また、第１の乾式目地材及び第２の乾式目地材が湿式シーリング材により接着されていてもよい。これにより、第１の乾式目地材及び第２の乾式目地材それぞれを独立した状態で現場に運び、現場において接着することができる。このことで、施工性を向上させることができる。
【００１２】
また、第１の乾式目地材、第２の乾式目地材、及び湿式シーリング材が同一の材質であってもよい。同一の材質とすることにより、目地部構造に力が加わった際に、第１の乾式目地材、第２の乾式目地材、及び湿式シーリング材に加わる力を均一化することができる。このことで、一部の部材に偏って力が加わることによって乾式目地材間の密着性が低くなることを抑制することができる。
【００１３】
また、第１の乾式目地材が凸部材であり、第２の乾式目地材が凹部材であってもよい。これにより、外装パネルそれぞれの側面に設けられた第１の乾式目地材の凸形状に沿わせるようにして、凹形状を有した第２の乾式目地材を押し込むことで、目地部構造を容易に施工することができる。
【００１４】
また、一対の外装パネルのそれぞれの側面に設けられた第１の乾式目地材間の離間寸法よりも、第２の乾式目地材の幅寸法が大きくてもよい。これにより、第１の乾式目地材及び第２の乾式目地材の密着性を高めることができる。
【００１５】
また、凸部及び凹部が曲面で構成されており、第１の乾式目地材の凸部の曲率半径が、第２の乾式目地材の凹部の曲率半径以上であってもよい。これにより、第１の乾式目地材及び第２の乾式目地材の間に隙間が発生することを抑制できる。
【００１６】
また、第２の乾式目地材の表面が、目地部構造の表面を覆っていてもよい。一の乾式目地材により表面が覆われることにより、止水性をより高めることができる。また、目地部構造の表面側からの美観を向上させることができる。
【００１７】
また、第２の乾式目地材の表面が、外装パネルの表面と同系色の模様とされていてもよいし、同様の多彩模様とされていてもよい。これにより、目地部構造と外装パネルとの一体感を演出することができ、美観をより向上させることができる。
【００１８】
また、一対の外装パネルそれぞれの側面から対向する外装パネル方向に向けて延びる底面部を更に備え、第１の乾式目地材の対向する外装パネル方向の最大長さは、底面部の対向する外装パネル方向の長さよりも短くてもよい。これにより、外装パネルでは、第１の乾式目地材よりも底面部の先端が突出することとなる。このため、外装パネルの積み上げ時、及び、建築現場におけるナイロンスリング（帯状の吊り上げ治具）による外装パネルの吊り上げ作業時等において、第１の乾式目地材が他のものにぶつかり傷つくこと、汚れること等を回避することができ、施工性、密着性、及び水密性をより高めることができる。
【発明の効果】
【００１９】
本発明によれば、施工容易性及び止水性を担保することができる。
【図面の簡単な説明】
【００２０】
【図１】本発明の実施形態に係る外壁を示す斜視図である。
【図２】本発明の第１実施形態に係る目地部構造を拡大して示す断面図である。
【図３】図２の目地部構造における凹状目地材設置前の状態を示す断面図である。
【図４】塗装及び補修シートの多彩模様を示す図である。
【図５】本発明の第２実施形態に係る目地部構造を拡大して示す断面図である。
【図６】本発明の第３実施形態に係る目地部構造を拡大して示す断面図である。
【図７】変形例に係る凸状目地材及び凹状目地材を拡大して示す断面図である。
【図８】変形例に係る目地部構造を拡大して示す断面図である。
【図９】変形例に係る目地部構造を拡大して示す断面図である。
【発明を実施するための形態】
【００２１】
以下、添付図面を参照して、本発明の好適な実施形態について詳細に説明する。なお、以下の説明において、同一要素又は同一機能を有する要素には、同一符号を用いることとし、重複する説明は適宜に省略する。
【００２２】
建物の外壁１００（図１参照）の一部又は全部は、例えば、外壁パネル１Ａ及び開口サッシ枠等の窓枠を複数並設すること、あるいは、窓枠に対して外壁パネル１Ａを上下左右に隣接して設けること等によって形成される。外壁パネル１Ａ及び窓枠等の外壁１００を形成する面状の部材は、外装パネル材（外装パネル）に相当する。ここで、外壁パネル１Ａとしては、プレキャスト鉄筋コンクリート（ＰＣ）板、軽量気泡コンクリート（ＡＬＣ）板、及び金属製カーテンウォール等を用いることができるが、以下の実施形態では、ＡＬＣパネルを想定した外壁パネル１Ａを例に説明する。
【００２３】
［第１実施形態］
まず、第１実施形態に係る目地部構造２について説明する。図１に示されるように、複数の外壁パネル１Ａを立設して面状に並べることによって、隣り合う外壁パネル１Ａ同士の間に目地部１０が形成される。すなわち、一対の外壁パネル１Ａ間に目地部１０が形成される。具体的には、外壁パネル１Ａの小口面１ａ（図２参照）における表面側の隅角部には、長手方向に沿って切欠きが施されており、小口面１ａ同士が対向配置されることにより、表面側に溝を有する目地部１０が形成されている。目地部構造２とは、当該目地部１０に形成される構造である。なお、以下の説明において、「表面側」とは、外壁１００の屋外に面する側を想定しており、特に、目地部１０が形成されている側を意図する。
【００２４】
図２及び図３に示されるように、目地部１０は、一対の側面部１１と、一対の底面部１２とを有する。すなわち、目地部１０を構成する一対の外壁パネル１Ａは、それぞれ、側面部１１と底面部１２とを有している。一対の側面部１１は、底面部１２を挟んで対称な形状であり、それぞれ、底面部１２に対して略垂直に立ち上がる垂直面１１ｂ（側面）と、垂直面１１ｂから外壁１００の表面にかけて目地部１０の幅が拡大するように傾斜した傾斜面１１ａとを有する。一対の底面部１２は、垂直面１１ｂにおける傾斜面１１ａと連続する側と反対側の端部から、対向する外壁パネル１Ａ方向（以下、「幅方向」と記載する場合がある）に向けて延びている。
【００２５】
一対の外壁パネル１Ａそれぞれの垂直面１１ｂには、凸型乾式目地材３（第１の乾式目地材）が設けられている。具体的には、工場において、目地部１０となる側面部１１の垂直面１１ｂにプライマーあるいは接着剤が塗布され、当該プライマーあるいは接着剤に凸型乾式目地材３が接着されることにより、垂直面１１ｂに凸型乾式目地材３が設けられている。より詳細には、凸型乾式目地材３は、その表面が傾斜面１１ａに連続した面となるように、垂直面１１ｂのうち傾斜面１１ａに連続する部分に設けられている。なお、凸型乾式目地材３が工場において側面部１１と接着されることにより、現場で側面部１１と接着される場合と比較して、接着信頼性を高めることができる。
【００２６】
凸型乾式目地材３は、目地部１０の長手方向の寸法に合わせて形成された長尺状の弾性部材である。また、凸型乾式目地材３は、垂直面１１ｂに接着された状態において、幅方向に突出する曲面で構成された凸部３ｃを有するかまぼこ型（断面略半円形状）の凸部材である。凸型乾式目地材３の、幅方向の最大長さＷ１は、底面部１２の、幅方向の長さＷ２よりも短い（図３参照）。凸型乾式目地材３は、例えばポリウレタン系シーリング材又は変成シリコーン系シーリング材により構成されており、湿式シーリング材が固められることにより形成されている。なお、弾性部材である凸型乾式目地材３は、湿式シーリング材が固められたものに限定されず、ＥＰＤＭゴム及びウレタンゴム等のゴムおよびその発泡体でもよい。
【００２７】
一対の外壁パネル１Ａの凸型乾式目地材３間に挟まれるように、凹型乾式目地材４が設けられている。凹型乾式目地材４は、目地部１０の長手方向の寸法に合わせて形成された長尺状の弾性部材である。また、凹型乾式目地材４は、凸部３ｃに対応して互いに係止し合う曲面で構成された凹部４ｃ（図３参照）を有する凹部材である。凹型乾式目地材４は、例えばポリウレタン系シーリング材又は変成シリコーン系シーリング材により構成されており、湿式シーリング材が固められることにより形成されている。凹型乾式目地材４は、凸型乾式目地材と同じ材料により構成されていることが好ましい。なお、弾性部材である凹型乾式目地材４は、湿式シーリング材が固められたものに限定されず、ＥＰＤＭゴム及びウレタンゴム等のゴムおよびその発泡体でもよい。
【００２８】
凹型乾式目地材４は、一対の凸型乾式目地材３の凸部３ｃに対向する、凹部４ｃの側面部４ａを有しており、当該凹部４ｃの側面部４ａが、凸型乾式目地材３の凸部３ｃの凸形状に対応する凹形状とされて断面が略「鼓」形状をなしている。すなわち、凹型乾式目地材４は、凸型乾式目地材３の間に設けられた状態において、凹部４ｃの側面部４ａが幅方向に凹んだ凹部材である。凹部４ｃの側面部４ａが凸型乾式目地材３の凸部３ｃの凸形状に対応する凹形状とされているとは、凸型乾式目地材３の間に凹型乾式目地材４が設けられた状態において、側面部４ａと凸型乾式目地材３とが密着するように側面部４ａが形成されていることをいう。なお、側面部４ａと凸型乾式目地材３とが密着しているとは、側面部４ａと凸型乾式目地材３とが直接接している状態だけでなく、側面部４ａと凸型乾式目地材３とが湿式シーリング材５（詳細は後述）を介して接着されている状態を含んでいる。
【００２９】
ここで、凸型乾式目地材３は、かまぼこ型（断面略半円形状）とされており、外壁パネル１Ａの厚さ方向（以下、「厚さ方向」と記載する場合がある）中央部分の幅寸法が最も大きく、厚さ方向両端の幅寸法が最も小さい。そのため、対応する凹型乾式目地材４は、厚さ方向中央部分がくびれた形状となっており、厚さ方向中央部分の幅寸法が最も小さく、厚さ方向両端の幅寸法が最も大きい。より詳細には、凹型乾式目地材４は、厚さ方向両端のうち、表面側端部の幅寸法が最も大きい。そして、凹型乾式目地材４では、表面側端部が楔形状となっており、肉厚が極薄になっている。凹型乾式目地材４の表面側端部が薄く形成されていることにより、外壁パネル１Ａの表面側から見た際に、凸型乾式目地材３及び凹型乾式目地材４の境界面を分かりにくくすることができる。
【００３０】
また、一対の外壁パネル１Ａそれぞれの垂直面１１ｂに設けられた凸型乾式目地材３同士の離間寸法Ｄ１よりも、凸型乾式目地材３同士が互いに対向する方向（すなわち、幅方向）における凹型乾式目地材４の幅寸法Ｄ２が大きい（図３参照）。当該凸型乾式目地材３同士の離間寸法Ｄ１と凹型乾式目地材４の幅寸法Ｄ２との関係は、凸型乾式目地材３と側面部４ａとが接する（密着する）、厚さ方向の全ての領域において成り立つ。このことにより、凹型乾式目地材４が凸型乾式目地材３の間に設けられた状態においては、凹型乾式目地材４の両方の側面部４ａが、一対の凸型乾式目地材３により押圧される構造となり、凸型乾式目地材３と凹型乾式目地材４との密着性が高まる。
【００３１】
そして、上述したように、凸型乾式目地材３と凹型乾式目地材４とは、厚さ方向において、幅寸法が対応した長さとなっており、凸型乾式目地材３では厚さ方向中央部分の幅寸法が最も大きいのに対し、凹型乾式目地材４では厚さ方向両端の幅寸法が最も大きい。このため、凸型乾式目地材３と凹型乾式目地材４とは互いに係止し合うこととなる。そして、厚さ方向中央部分がくびれた形状である凹型乾式目地材４は、凸型乾式目地材３の間に凹型乾式目地材４が設けられた状態において、幅方向両側から凸型乾式目地材３に押圧されるので、凹型乾式目地材４の厚さ方向への移動が抑止される。
【００３２】
凸型乾式目地材３と凹型乾式目地材４とが互いに係止し合う部分（互いに接する部分）については、凸型乾式目地材３の間に凹型乾式目地材４が設けられていない状態、すなわち凹型乾式目地材４が一対の凸型乾式目地材３により押圧されていない状態において、凸型乾式目地材３の幅方向の最大長さが凹型乾式目地材４の幅方向の最大長さよりも長く、凸型乾式目地材３の厚さ方向の最大長さが凹型乾式目地材４の厚さ方向の最大長さよりも長い。
【００３３】
すなわち、側面部４ａと接する凸型乾式目地材３の幅方向の最大長さＸ１は凸型乾式目地材３と接する側面部４ａの幅方向の最大長さＸ２よりも長く、側面部４ａと接する凸型乾式目地材３の厚さ方向の最大長さＹ１は凸型乾式目地材３と接する側面部４ａの厚さ方向の最大長さＹ２よりも長い（図３参照）。これにより、互いに係止し合う部分において、凹型乾式目地材４よりも凸型乾式目地材３が大きい態様となる。このことで、互いに係止し合う部分において、凸型乾式目地材３によって両方の側面部４ａが押圧された凹型乾式目地材４が、変形しながら凸型乾式目地材３間に設けられることとなるので、凸型乾式目地材３と凹型乾式目地材４との密着性をより高めることができる。
【００３４】
なお、凸型乾式目地材３の間に凹型乾式目地材４が設けられた状態においては、凹型乾式目地材４の表面４ｂは、目地部構造２における目地部１０の表面を覆っている。凹型乾式目地材４の表面４ｂが目地部１０の表面を覆っているとは、外壁パネル１Ａの表面側から見て、底面部１２が視認されないように、凸型乾式目地材３の間に凹型乾式目地材４が設けられていることをいう。また、凸型乾式目地材３の凸部３ｃの曲率半径Ｒ１は、凹型乾式目地材４の凹部４ｃの曲率半径Ｒ２以上とされている（図３参照）。
【００３５】
また、凸型乾式目地材３と凹型乾式目地材４（より詳細には側面部４ａ）とは湿式シーリング材５により接着されている。当該湿式シーリング材５は、例えばポリウレタン系シーリング材又は変成シリコーン系シーリング材であり、凸型乾式目地材３及び凹型乾式目地材４と同じ材料であることが好ましい。なお、外壁パネル１Ａの表面が多彩模様仕上げであれば、湿式シーリング材５は、外壁パネル１Ａと同様の多彩模様のシーリング材（多彩シーリング材）あるいは透明のシーリング材であることが好ましい。また、外壁パネル１Ａの表面が単色仕上げであれば、湿式シーリング材５は、外壁パネル１Ａと同様（同系色）の単色のシーリング材あるいは透明のシーリング材であることが好ましい。このことにより、仮に湿式シーリング材５が傾斜面１１ａ側に露出した（はみ出した）場合であっても、湿式シーリング材５を目立ちにくくすることができる。以下では、外壁パネル１Ａの表面が多彩模様仕上げであるとして説明する。
【００３６】
なお、凸型乾式目地材３と凹型乾式目地材４とを接着する方法は、上述した湿式シーリング材５を用いる方法に限定されない。例えば、テープ状のホットメルト接着材を予め凸型乾式目地材３につけておき、施工現場において当該ホットメルト接着剤を加熱することにより、凸型乾式目地材３と凹型乾式目地材４とを接着してもよい。また、その他の接着剤により凸型乾式目地材３と凹型乾式目地材４とを接着してもよい。
【００３７】
傾斜面１１ａ、及び傾斜面１１ａに連続する凸型乾式目地材３の表面の一部には、塗装１５が施されている。塗装１５は、例えば、凸型乾式目地材３の表面のうち、凹型乾式目地材４との接着時に凹型乾式目地材４によって隠ぺいされない部分には少なくとも施されている。塗装１５は、工場において施される。塗装１５は、多彩模様塗料により多彩模様とされている。
【００３８】
図４は、塗装１５の多彩模様の一例を示している。多彩模様とは、二色以上が使用された模様であり、特に、各色が不規則に配置された模様形態が好ましい。図４中において、黒色ないし黒色がかすんで灰色で示される部分は多彩模様塗料の着色混合粒を示しており、白色で示される部分は着色されていない領域を示している。このように、塗装１５では、着色混合粒がランダムに吹き付けられている。多彩模様塗料は、数種の色彩の異なる着色塗料を大小様々な形状の液状又はゲル状混合液（着色混合粒）として互いに溶け合わない状態で分散媒中に分散させたものである。このような多彩模様塗料としては、着色混合粒及び分散媒のいずれか一方を油性系とし他方を水性系とした水中油型及び油中水型多彩模様塗料、並びに、両者を同一系とした水中水型及び油中油型多彩模様塗料がある。塗装１５は、例えば工場において、スプレーガンを用いて多彩模様塗料を吹き付け塗装することによって形成される。
【００３９】
凹型乾式目地材４の表面４ｂには、補修シート１８が貼付される。当該補修シート１８は、上述した塗装１５と同様の多彩模様塗料によって着色されている。これにより、塗装１５が施された傾斜面１１ａと補修シートが貼付された凹型乾式目地材４との一体感を演出することができ、美観をより向上させることができる。なお、補修シート１８は、例えば、可塑性を有したフレキシブルシートとされる。補修シート１８は、凹型乾式目地材４の表面４ｂを覆うとともに、少なくとも、傾斜面１１ａと凸型乾式目地材３とが連続する箇所を覆うように設けられている。
【００４０】
なお、傾斜面１１ａにおいて化粧目地が施されている化粧目地位置Ｌ１は、傾斜面１１ａと凸型乾式目地材３とが連続する箇所であるシーリング目地位置Ｌ２よりも表面側であってもよい（図２参照）。すなわち、化粧目地の深さとシーリング目地の深さにギャップがある。このことによって、補修シート１８が化粧目地に重なってしまうことを回避することができ、補修シート１８を容易に貼付することができる。補修シート１８は、施工現場において貼付されてもよいし、予め一部が表面４ｂに貼付されていてもよい。
【００４１】
次に、目地部構造２の施工方法について図２及び図３を参照して説明する。なお、施工を行う前提として、図３に示されるように、複数（図２及び３では一対）の外壁パネル１Ａが面状に並んで立設している。そして、当該一対の外壁パネル１Ａの垂直面１１ｂには、工場において接着された凸型乾式目地材が設けられている。
【００４２】
この状態において、最初に、互いに対向する凸型乾式目地材３における、外壁パネル１Ａの表面側の部分に湿式シーリング材５が塗布される。具体的には、外壁パネル１Ａの表面側から、専用の押し出し機等により湿式シーリング材５が一対の凸型乾式目地材３の間の空間における表面側に打設される。当該湿式シーリング材５は、凸型乾式目地材３と凹型乾式目地材４とを接着させる用途で用いられるものである。つづいて、凸型乾式目地材３の凸部３ｃに凹型乾式目地材４の凹部４ｃの側面部４ａを沿わせるようにして、外壁パネル１Ａの表面側から凹型乾式目地材４が押し込まれ、凸型乾式目地材３間に凹型乾式目地材４が嵌め込まれる。凹型乾式目地材４が押し込まれることに伴って、湿式シーリング材５も凸型乾式目地材３の奥側にまで延ばされるので、凹型乾式目地材４の側面部４ａの略全面に亘って、凸型乾式目地材３との密着面に湿式シーリング材５を介在させることができる。最後に、凹型乾式目地材４の表面４ｂに補修シート１８が貼付される。なお、当該施工方法は一例であり、目地部構造２の施工方法はこれに限定されない。
【００４３】
次に、第１実施形態に係る目地部構造２の作用効果について説明する。
【００４４】
従来、外壁パネルなどの外装パネル間の目地部構造として、湿式シーリング材を目地部に打設する湿式工法による目地部構造と、乾式目地材を目地部に装着する乾式工法による目地部構造とが知られている。
【００４５】
湿式工法は止水性を確保することができる一方、工期が長くなるという欠点がある。すなわち、湿式工法は天候によって実施可否が決まるため、天候に左右されて工期が長くなる場合がある。また、湿式工法は、筒状のシーリングガン等で目地部に湿式シーリング材を打設する工程、へらにより湿式シーリング材を延ばし表面を仕上げる工程、及び湿式シーリング材の上から仕上げ塗装を行う工程等を行うため、工期が長くなってしまう。
【００４６】
また、乾式工法は施工容易性を担保することができる一方、完全な止水性を確保することが困難であるという欠点がある。すなわち、乾式シーリング材が目地幅の変位に追従できなくなり外壁パネル間に隙間が生じてしまう場合、乾式シーリング材が目地部外に脱落する場合等があり、この場合、止水性を確保することができない。
【００４７】
第１実施形態に係る目地部構造２では、凸部材である凸型乾式目地材３と、凹部材である凹型乾式目地材４とが互いに係止し合っている。より詳細には、凸型乾式目地材３の間に凹型乾式目地材４が設けられた状態において、凸型乾式目地材３では厚さ方向中央部分の幅寸法が最も大きいのに対し、凹型乾式目地材４では厚さ方向両端の幅寸法が最も大きい。このため、凸型乾式目地材３と凹型乾式目地材４とは互いに係止し合うこととなる。そして、厚さ方向中央部分がくびれた形状である凹型乾式目地材４は、一対の凸型乾式目地材３間に挟まれるように設けられており、幅方向両側から凸型乾式目地材３に押圧されるので、凹型乾式目地材４の厚さ方向への移動が抑止され、凹型乾式目地材４が目地部１０から押し出される（脱落する）ことを抑制することができる。
【００４８】
また、第１実施形態に係る目地部構造２では、凸型乾式目地材３及び凹型乾式目地材４の双方が弾性体であるので、仮に目地部１０の幅方向の長さ（目地幅）が変位したような場合であっても、凸型乾式目地材３及び凹型乾式目地材４を当該変位に適切に追従させることができる。更に、双方が弾性体であることにより、互いに係止し合う凸型乾式目地材３と凹型乾式目地材４とを圧接密着させることができる。これらにより、外壁パネル１Ａ間に隙間が生じることを抑制することができる。凹型乾式目地材４の脱落を抑制するとともに外壁パネル１Ａ間に隙間が生じることを抑制することにより、目地部構造２における止水性を担保することができる。
【００４９】
更に、目地部構造２は乾式目地材である凸型乾式目地材３及び凹型乾式目地材４が目地部１０に装着させることにより止水性を担保する乾式工法による目地部構造であるため、湿式工法の目地部構造と比較して、容易に施工することができる。以上のことから、第１実施形態に係る目地部構造２によれば、施工容易性及び止水性を担保することができる。
【００５０】
なお、目地部構造２では、凸型乾式目地材３及び凹型乾式目地材４の双方が弾性体であることによって、目地幅の変位に対する追従性、及び、乾式目地材間の密着性をより高めることができ、目地部構造２における止水性をより担保している。
【００５１】
また、凸型乾式目地材３及び凹型乾式目地材４は、互いに接着されている。これにより、乾式目地材間の密着性を高め、目地部構造２における止水性をより担保している。また、凸型乾式目地材３及び凹型乾式目地材４が湿式シーリング材５により接着されている。これにより、凸型乾式目地材３及び凹型乾式目地材４を、それぞれ独立した状態で現場に運び、現場において接着することができる。このことで、施工性を向上させることができる。
【００５２】
また、凸型乾式目地材３と凹型乾式目地材４と湿式シーリング材５とが同一の材質とされた場合には、乾式目地材間の密着性をより高めることができる。すなわち、例えば地震等により目地部構造２に大きな力が加わった際に、凸型乾式目地材３と凹型乾式目地材４と湿式シーリング材５とが同一の材質とされることにより、各構成に加わる力を均一化することができ、一部の構成に偏って力が加わることによって乾式目地材間の密着性が低くなることを抑制することができる。
【００５３】
また、一対の外壁パネル１Ａの垂直面１１ｂに設けられた凸型乾式目地材３が凸部材であり、凸型乾式目地材３間に設けられる凹型乾式目地材４が凹部材であることにより、目地部構造を容易に施工することができる。すなわち、一対の外壁パネル１Ａの垂直面１１ｂに設けられた凸型乾式目地材３の凸形状に、凹型乾式目地材４の側面部４ａを沿わせるようにして、外壁パネル１Ａの表面側から凹型乾式目地材４が押し込まれることにより、目地部構造を容易に施工することができる。
【００５４】
また、一対の外壁パネル１Ａそれぞれの垂直面１１ｂに設けられた凸型乾式目地材３同士の離間寸法Ｄ１よりも、凹型乾式目地材４の幅寸法Ｄ２が大きい。当該凸型乾式目地材３同士の離間寸法Ｄ１と凹型乾式目地材４の幅寸法Ｄ２との関係は、凸型乾式目地材３と側面部４ａとが接する（密着する）、厚さ方向の全ての領域において成り立つ。このことにより、凹型乾式目地材４の両方の側面部４ａが、一対の凸型乾式目地材３により押圧される構造となり、凸型乾式目地材３と凹型乾式目地材４との密着性を高めることができる。
【００５５】
また、凸型乾式目地材３と凹型乾式目地材４とが互いに係止し合う部分（互いに接する部分）については、凸型乾式目地材３の間に凹型乾式目地材４が設けられていない状態、すなわち凹型乾式目地材４が一対の凸型乾式目地材３により押圧されていない状態において、凸型乾式目地材３の幅方向の最大長さＸ１が凹型乾式目地材４の幅方向の最大長さＸ２よりも長く、凸型乾式目地材３の厚さ方向の最大長さＹ１が凹型乾式目地材４の厚さ方向の最大長さＹ２よりも長い。これにより、互いに係止し合う部分において、凹形状よりも凸形状が大きい態様とすることができる。このことで、凸型乾式目地材３と凹型乾式目地材４との密着性をより高めることができる。
【００５６】
また、凸型乾式目地材３の凸部３ｃ及び凹型乾式目地材４の凹部４ｃが曲面で構成されており、凸型乾式目地材３の凸部３ｃの曲率半径Ｒ１は、凹型乾式目地材４の凹部４ｃの曲率半径Ｒ２以上とされている。これにより、凸型乾式目地材３の凸形状の弧の部分が凹型乾式目地材４の側面部４ａに接する態様となり、凸型乾式目地材３と凹型乾式目地材４との間に隙間が発生することを抑制できる。
【００５７】
また、凹型乾式目地材４の表面４ｂは、目地部構造２における目地部１０の表面を覆っている。このことにより、止水性を確実に担保することができると共に、底面部１２が視認されないことによって目地部構造２の表面側からの美観を向上させることができる。
【００５８】
また、一対の外壁パネル１Ａの垂直面から対向する外壁パネル１Ａ方向（幅方向）に向けて延びる底面部１２が備わっており、凸型乾式目地材３の、幅方向の最大長さＷ１は、底面部１２の、幅方向の長さＷ２よりも短い。これにより、外壁パネル１Ａでは、凸型乾式目地材３よりも底面部１２の先端が突出することとなる。このため、外壁パネル１Ａの積み上げ時、及び外壁パネル１Ａのナイロンスリングによる吊り上げ時等において、凸型乾式目地材３が他のものにぶつかり傷つくこと、汚れること等を回避することができ、施工性、密着性、及び水密性をより高めることができる。
【００５９】
［第２実施形態］
次に、図５を参照して、第２実施形態に係る目地部１０Ａに形成される構造（目地部構造２Ａ）について説明する。なお、第２実施形態に係る目地部構造２Ａでは、第１実施形態に係る目地部構造２との相違点を中心に説明し、同様の要素や構造については同一の符号を付して詳細な説明を省略する。
【００６０】
第１実施形態に係る目地部構造２では凹型乾式目地材４の表面４ｂに補修シート１８が貼付されていたのに対し、第２実施形態に係る目地部構造２Ａにおいては、凹型乾式目地材４の表面４ｂに塗装２５（現場塗装）が施されている。塗装２５は、塗装１５と同様の多彩模様塗料である。塗装２５は、凹型乾式目地材４の表面４ｂとともに、表面４ｂに連続する塗装１５の上面に施されている。塗装２５は、施工現場において施される。すなわち、第１実施形態では施工現場において表面４ｂに補修シート１８が貼付される例を説明したが、第２実施形態では、施工現場において表面４ｂ及び表面４ｂに連続する塗装１５の上面に、塗装２５が施される。
【００６１】
このような目地部構造２Ａでは、表面側から視認される領域全てについて、同様の多彩模様塗料（塗装１５又は塗装２５）が施されている。このため、目地部構造２Ａの表面側からの美観をより向上させることができる。また、第１実施形態において用いた補修シート１８が不要となるので、物品点数を削減しながら美観を担保することができる。
【００６２】
[第３実施形態]
次に、図６（ａ），（ｂ）を参照して、第３実施形態に係る目地部１０Ｂに形成される構造（目地部構造２Ｂ）について説明する。なお、第３実施形態に係る目地部構造２Ｂでは、第１実施形態に係る目地部構造２及び第２実施形態に係る目地部構造２Ａとの相違点を中心に説明し、同様の要素や構造については同一の符号を付して詳細な説明を省略する。
【００６３】
第３実施形態に係る目地部構造２Ｂでは、凹型乾式目地材４の表面４ｂに、予め工場等において形成された塗膜３５（先行塗膜）が設けられている。塗膜３５は、外壁パネル１Ａの表面すなわち傾斜面１１ａ等の表面に施された塗装１５と同様の多彩模様塗料により形成された塗膜である。塗膜３５が設けられていることにより、凹型乾式目地材４の表面４ｂ（より詳細には表面４ｂの上層）が、外壁パネル１Ａの表面（より詳細には傾斜面１１ａ等の表面に施された塗装１５）と同様の多彩模様とされている。
【００６４】
このような目地部構造２Ｂでは、目地部構造と外壁パネル１Ａとの一体感を演出することができ、美観をより向上させることができる。また、塗膜３５が予め工場等において形成された先行塗膜であるため、施工現場において補修シート１８を貼付する作業、塗装２５を施す作業等が不要となり、施工容易性が向上する。
【００６５】
以上、本発明の実施形態について説明したが、本発明は上記実施形態に限定されない。例えば、凸型乾式目地材３がかまぼこ型（断面略半円形状）の凸部材であり、凹型乾式目地材４が当該形状に対応する凹形状を有した凹部材であるとして説明したが、凸型乾式目地材及び凹型乾式目地材が互いに係止し合う形状であれば、それぞれの凸形状（或いは凹形状）はこれに限定されない。すなわち、図７（ａ）に示されるように、三角型の凸部材である凸型乾式目地材３ｘと、当該三角型に対応する凹形状を有した凹部材である凹型乾式目地材４ｘとが互いに係止し合う構成であってもよいし、図７（ｂ）に示されるように、台形型の凸部材である凸型乾式目地材３ｙと、当該台形型に対応する凹形状を有した凹部材である凹型乾式目地材４ｙとが互いに係止し合う構成であってもよいし、図７（ｃ）に示されるように、五角形型の凸部材である凸型乾式目地材３ｚと、当該五角形型に対応する凹形状を有した凹部材である凹型乾式目地材４ｚとが互いに係止し合う構成であってもよい。
【００６６】
また、凹型乾式目地材４において表面側端部が楔形状となっているとして説明したがこれに限定されない。凹型乾式目地材４では、側面部４ａ全てが凸型乾式目地材３の凸形状に対応する凹形状とされていたため、上述したように表面側端部が楔形状とされていた。これに対し、例えば、図８に示すように、凸型乾式目地材３ｖが垂直面１１ｂにおける底面部１２に連続する部分に設けられている場合には、凹型乾式目地材４ｖは、側面部４ｐのうち凸型乾式目地材３ｖに対向する部分のみが凹形状とされ、垂直面１１ｂに対向する部分は垂直面１１ｂに沿って延びる平坦形状とされる。このような凹型乾式目地材４ｖを用いる場合には、側面部４ｐのうち垂直面１１ｂに沿って延びる部分は、凹型乾式目地材４が凸型乾式目地材３ｖの間に設けられた状態において、垂直面１１ｂと密着している。
【００６７】
また、底面部１２は必ずしも設けられていなくてもよく、例えば図９に示されるように、底面部１２が設けれていない外壁パネル１Ｂ同士の間に、上述した目地部構造が形成されていてもよい。また、外壁パネル１Ａの側面に設けられた第１の乾式目地材が凹部材であり、第１の乾式目地材間に挟まれるように設けられた第２の乾式目地材が凸部材であってもよい。また、第１の乾式目地材及び第２の乾式目地材は、少なくともいずれか一方が弾性体であればよい。また、第１の乾式目地材及び第２の乾式目地材は必ずしも互いに接着されていなくてもよい。
【符号の説明】
【００６８】
１Ａ，１Ｂ…外壁パネル、２，２Ａ，２Ｂ…目地部構造、３，３ｖ，３ｘ，３ｙ，３ｚ…凸型乾式目地材、３ｃ…凸部、４，４ｖ，４ｘ，４ｙ，４ｚ…凹型乾式目地材、４ｂ…表面、４ｃ…凹部、５…湿式シーリング材、１０，１０Ａ，１０Ｂ…目地部、１１ｂ…垂直面（側面）、１２…底面部。
【図１】
0006688587.tif 000002
【図２】
0006688587.tif 000003
【図３】
0006688587.tif 000004
【図４】
0006688587.tif 000005
【図５】
0006688587.tif 000006
【図６】
0006688587.tif 000007
【図７】
0006688587.tif 000008
【図８】
0006688587.tif 000009
【図９】
0006688587.tif 000010